(57)【要約】【課題】比較的穏やかな条件での洗濯加工でありながら、過酸化水素の高い漂白性を発揮させて、繊維製品の汚れを効果的に除去し、くすみに対して白度を回復することができる洗濯用組成物を提供する。【解決手段】（Ａ）過酸化水素水、（Ｂ）アルカリ性を呈する化合物、及び（Ｃ）金属封鎖剤を混合してなり、過酸化水素の（Ｂ）に対する質量比が１〜１８であり、かつ（Ｂ）の（Ｃ）に対する質量比が０．２〜１０であり、かつ（Ｂ）と（Ｃ）の合計量が組成物の質量に基づいて５〜２５質量％であることを特徴とする洗濯用組成物である。【選択図】なし【特許請求の範囲】
【請求項１】
（Ａ）過酸化水素水、（Ｂ）アルカリ性を呈する化合物、及び（Ｃ）金属封鎖剤を混合してなり、過酸化水素の（Ｂ）に対する質量比が１〜１８であり、かつ（Ｂ）の（Ｃ）に対する質量比が０．２〜１０であり、かつ（Ｂ）と（Ｃ）の合計量が組成物の質量に基づいて５〜２５質量％であることを特徴とする洗濯用組成物。
【請求項２】
ｐＨが８．０〜１１．０であることを特徴とする請求項１記載の洗濯用組成物。
【請求項３】
抱水ゲルであることを特徴とする請求項１又は２に記載の洗濯用組成物。
【発明の詳細な説明】
【技術分野】
【０００１】
本発明は、衣類などの繊維製品の洗濯に用いることができる洗濯用組成物に関する。
【背景技術】
【０００２】
過酸化水素は、汗や皮脂などに由来する汚れや、チリソースやケチャップなどに由来する色素シミなどに作用し除去することができる。このため、過酸化水素の有効な使用方法が求められている。
【０００３】
過酸化水素の高い漂白性を得るためには、高温処理が適しているが、一般家庭で通常行われる方法では低温処理となるので、過酸化水素の十分な漂白性が得られず、除去性が不十分であるなどの問題がある。このため、汚れやシミに対し直接塗布する方法などが行われているが、作業性が悪い。また、生地に汚れが沈着し生地の白度が低下したもの、いわゆる「くすみ」に対しては、通常洗浄では白度を回復できず、高温による処理が必要である。
【０００４】
なお、特許文献１には、粒状アルカリ化剤とキレート剤を含む凝集体からなる固体組成物と、水性または水／アルコール性の組成物とを混合することにより得られた、過酸化水素含有剤が開示されている。しかしながら、この文献は、上記２つの組成物を混合する際における過酸化水素成分の分解を低減するための技術であって、主としてケラチン含有繊維の漂白（脱色）ないし着色を目的としたものである。そのため、衣類などの繊維製品の洗濯用組成物において、過酸化水素水とアルカリ性を呈する化合物と金属封鎖剤とを所定の比率で事前混合しておくことにより、比較的穏やかな条件でも優れた洗浄効果が得られる点については開示されていない。
【先行技術文献】
【特許文献】
【０００５】
【特許文献１】特表２００７−５０３４０９号公報
【発明の概要】
【発明が解決しようとする課題】
【０００６】
上記のように過酸化水素の高い漂白性を得るためには、高温処理が必要であった。しかしながら、ポリエステルなどの素材では高温処理は難しく、縮みやシワの原因になっていた。また、白度の低下した繊維製品において白度を回復するための条件としては、高い洗剤濃度、高温度、高アルカリ条件による繰り返し洗浄が必要であった。このため、生地の脆化、生地の消耗に繋がっていた。
【０００７】
本発明は以上に鑑み、比較的穏やかな条件での洗濯加工でありながら、過酸化水素の高い漂白性を発揮させて、繊維製品の汚れを効果的に除去し、くすみに対して白度を回復することができる洗濯用組成物を提供することを目的とする。
【課題を解決するための手段】
【０００８】
本発明に係る洗濯用組成物は、（Ａ）過酸化水素水、（Ｂ）アルカリ性を呈する化合物、及び（Ｃ）金属封鎖剤を混合してなり、過酸化水素の（Ｂ）に対する質量比が１〜１８であり、かつ（Ｂ）の（Ｃ）に対する質量比が０．２〜１０であり、かつ（Ｂ）と（Ｃ）の合計量が組成物の質量に基づいて５〜２５質量％であることを特徴とするものである。
【発明の効果】
【０００９】
本発明によれば、比較的穏やかな条件での洗濯加工でありながら、過酸化水素の高い漂白性を発揮させることができる。そのため、素材によらずに、繊維製品の汚れやシミなどを効果的に除去することができる。また、白度の低下したくすみのある繊維製品に対して、高温や高アルカリ条件による繰り返し洗浄をせずに、白度を回復させることができ、生地の脆化を防ぐことができる。
【発明を実施するための形態】
【００１０】
以下、本発明の実施に関連する事項について詳細に説明する。
【００１１】
本実施形態に係る洗濯用組成物は、（Ａ）過酸化水素水と、（Ｂ）アルカリ性を呈する化合物と、（Ｃ）金属封鎖剤とからなる。
【００１２】
上記（Ａ）の過酸化水素水は、過酸化水素の水溶液である。使用可能な過酸化水素水の濃度は特に限定されないが、３〜６０質量％であることが好ましく、より好ましくは１０〜５０質量％であり、更に好ましくは２０〜４０質量％である。
【００１３】
上記（Ｂ）のアルカリ性を呈する化合物としては、洗濯用組成物をアルカリ性にすることができるアルカリ化剤を用いることができる。具体的には、アルカリ金属（Ｎａ，Ｋ，Ｌｉなど）やアンモニウムの、水酸化物、炭酸塩、炭酸水素塩、及びケイ酸塩などが挙げられ、これらはいずれか１種または２種以上組み合わせて用いることができる。これらのなかでも、アルカリ金属の水酸化物（ＮａＯＨ，ＫＯＨ，ＬｉＯＨなど）、炭酸塩（Ｎａ２ＣＯ３，Ｋ２ＣＯ３，Ｌｉ２ＣＯ３など）及びケイ酸塩（Ｎａ２ＳｉＯ３など）が好ましく用いられる。
【００１４】
上記（Ｃ）の金属封鎖剤としては、例えば、ニトリロ三酢酸、エチレンジアミン四酢酸、ジエチレントリアミン五酢酸、ヒドロキシエチルエチレンジアミン三酢酸、トリエチレンテトラミン六酢酸などのアミノポリカルボン酸；  １−ヒドロキシエタン−１，１−ジホスホン酸、ニトリロトリス（メチレンホスホン酸）、エチレンジアミンテトラ（メチレンホスホン酸）などのホスホン酸；  トリポリリン酸などのポリリン酸；  及び、これらの塩（例えば、ナトリウム塩、カリウム塩などのアルカリ金属塩やアルカールアミン塩）などが挙げられる。
【００１５】
本実施形態に係る洗濯用組成物において、上記（Ａ）と（Ｂ）の配合量は、その有効成分の質量比が１〜１８である。すなわち、（Ａ）の有効成分である過酸化水素の質量を（Ａ’）として、（Ａ’）の（Ｂ）に対する質量比（Ａ’）／（Ｂ）が１〜１８である。このような質量比に設定することにより、組成物中での過酸化水素の含有量を確保しつつ、組成物のｐＨをアルカリ性域に設定することが容易となる。該質量比（Ａ’）／（Ｂ）は、より好ましくは２〜１５であり、更に好ましくは３〜１０である。
【００１６】
また、上記（Ｂ）の（Ｃ）に対する質量比（Ｂ）／（Ｃ）は０．２〜１０である。このような質量比に設定することにより、組成物中での金属封鎖剤の含有量を確保しつつ、組成物のｐＨをアルカリ性域に設定することが容易となる。該質量比（Ｂ）／（Ｃ）は、より好ましくは０．３〜５であり、更に好ましくは０．４〜４である。
【００１７】
また、上記（Ｂ）と（Ｃ）の合計量（Ｂ）＋（Ｃ）は、洗濯用組成物の質量に基づいて、５〜２５質量％である。（Ｂ）及び（Ｃ）の合計含有量をこの範囲内に設定することにより、上記質量比（Ａ’）／（Ｂ）及び（Ｂ）／（Ｃ）の設定と相俟って、洗濯用組成物をゲル化させやすくなり、これにより洗濯中における過酸化水素の消失を抑えて、過酸化水素の高い漂白性を持続的に発揮させやすい。（Ｂ）と（Ｃ）の合計量は、７〜２０質量％であることが好ましく、より好ましくは８〜１５質量％である。
【００１８】
洗濯用組成物中における上記（Ａ’）、即ち過酸化水素の含有量は、特に限定しないが、該組成物の質量に基づいて、３〜５０質量％であることが好ましく、より好ましくは５〜４０質量％である。また、上記（Ｂ）の含有量は、特に限定しないが、該組成物の質量に基づいて、１〜２０質量％であることが好ましく、より好ましくは２〜１５質量％である。また、上記（Ｃ）の含有量は、特に限定しないが、該組成物の質量に基づいて、０．５〜２０質量％であることが好ましく、より好ましくは１〜１５質量％である。
【００１９】
本実施形態に係る洗濯用組成物は、（Ａ）過酸化水素水と、（Ｂ）アルカリ性を呈する化合物と、（Ｃ）金属封鎖剤を混合してなる。詳細には、過酸化水素の水溶液である過酸化水素水に、アルカリ性を呈する化合物と金属封鎖剤を混ぜて溶解させることにより、洗濯用組成物を得ることができる。その際、水を添加することにより、組成物中における各成分の濃度を調整してもよい。あるいはまた、アルカリ性を呈する化合物及び／又は金属封鎖剤を予め水に溶解させてから、得られた水溶液を過酸化水素水と混ぜることで、洗濯用組成物を得ることもできる。
【００２０】
このようにして得られた（Ａ）と（Ｂ）と（Ｃ）の混合物である洗濯用組成物は、そのｐＨが８．０〜１１．０であることが好ましく、より好ましくは、ｐＨは８．５〜１０．０である。このようなｐＨ域に設定することにより、過酸化水素の持つ漂白性を有効に利用でき、優れた色素除去性が得られる。
【００２１】
本実施形態に係る洗濯用組成物は、抱水ゲルであることが好ましい。本発明者は、上記（Ａ）、（Ｂ）及び（Ｃ）を、上記所定の配合比で混合することにより、混合物の粘度が上昇して流動性を失ってゲル化すること、即ち抱水ゲルが得られることを見出した。ここで、ゲル化しているか否かは、例えば（株）東京計器製のＢ型粘度計ＢＨ型ローターＮｏ３を用いて、回転数１２ｒｐｍの条件で２５℃での粘度を測定することにより判断することができ、８００ｍＰａ・ｓ以上〜測定不能となる粘度領域を示すものが抱水ゲルである。このようにして得られた抱水ゲルからなる洗濯用組成物は、洗濯中における過酸化水素の消失を抑えて、過酸化水素の効果を持続させることができる。
【００２２】
本実施形態に係る洗濯用組成物には、上記成分の他、その効果を損なわない範囲内で、界面活性剤、香料、着色料、一価アルコールや多価アルコールなどのアルコール類、殺菌剤、防腐剤などの各種添加剤を配合することができる。なお、本実施形態に係る洗濯用組成物では、一般的に洗浄剤において配合されている界面活性剤を用いなくても、過酸化水素の効果を持続させることで優れた洗浄効果を発揮することができる。そのため、界面活性剤は配合しなくてもよい。
【００２３】
本実施形態に係る洗濯用組成物は、繊維製品の洗濯において洗浄剤として用いることができる。繊維製品としては、衣類の他、シーツやタオルなどのリネン、繊維製の靴や鞄など、一般に洗濯加工の対象となる各種繊維製品が挙げられる。
【００２４】
洗濯方法としては、特に限定されないが、例えば、洗濯機の洗浄槽に、水及び洗濯物（被洗物ともいう）とともに、該洗濯用組成物を同時投入し、低温〜中温で洗濯処理を行ってもよい。また、該洗濯用組成物を添加した水中に洗濯物を静置する漬け込み処理を行い、その後、すすぎを行う処理でもよい。更には、上記漬け込み処理した後に、洗濯機で通常の洗い及びすすぎを行ってもよい。このような洗濯に際し、洗浄液中における洗濯用組成物の濃度は特に限定されないが、例えば、０．０１〜５質量％であることが好ましく、より好ましくは０．０５〜１質量％である。
【００２５】
以上よりなる本実施形態であると、洗濯物への温度をかけずに、泥汚れや食べこぼしなどの頑固な汚れやシミ、また尿などの臭気（異臭）を効果的に除去することができる。すなわち、比較的穏やかな条件での洗濯加工でありながら、過酸化水素の高い漂白性を発揮させることができるので、素材を選ばす全ての素材に対して、効果的に汚れ、シミ、臭気を除去することができる。
【００２６】
また、白度の低下した「くすみ」のある繊維製品に対して、高温や高アルカリ条件による繰り返し洗浄をせずに、白度を回復させることができる。すなわち、生地のくすみ対策を比較的優しい洗濯条件で行うことができるので、生地の脆化や消耗を抑えることができる。
【実施例】
【００２７】
以下、実施例により本発明を更に詳細に説明するが、本発明はこれらに限定されるものではない。
【００２８】
下記表１及び表２に示す配合（質量部）に従い、（Ａ）過酸化水素水、（Ｂ）アルカリ性を呈する化合物、（Ｃ）金属封鎖剤を水に溶解し混合して、実施例及び比較例の洗濯用組成物を調製した。表中の各成分の詳細は、以下の通りである。
【００２９】
（Ａ）過酸化水素水：
・過酸化水素水（濃度３５質量％）（商品名：３５％過酸化水素水、三菱ガス化学社製）
【００３０】
（Ｂ）アルカリ性を呈する化合物：
・メタケイ酸ナトリウム（商品名：メタケイ酸ソーダ５水塩、石田化学工業社製）
・水酸化ナトリウム（商品名：東ソーパール、東ソー株式会社製）
【００３１】
（Ｃ）金属封鎖剤：
・ニトリロ三酢酸ナトリウム（商品名：キレスト３ＮＴＡ、キレスト社製）
・エチレンジアミン四酢酸ナトリウム（商品名：キレスト２Ｄ、キレスト社製）
・トリポリリン酸ナトリウム（商品名：トリポリリン酸ナトリウム、太平化学工業社製）
【００３２】
得られた各組成物がゲル化したか否かについて、ゲル化したものを「〇」、ゲル化しなかったものを「×」として、表１及び表２に示す。
【００３３】
また、各組成物について、そのままの濃度でｐＨメーター（東亜ＤＫＫ社製「ＨＭ−２５Ｒ」）を用いて２５℃でのｐＨを測定した。その結果を表１及び表２に示す。
【００３４】
また、各組成物について、洗濯効果を確認するための試験を行った。試験は、汚れの除去性と白度回復性について行い、下記の方法を用いて評価を行った。
【００３５】
［１］汚れの除去性試験
Eidgenossische Materialprufungsund Forschungsanstalt社製の市販のＥＭＰＡ１０６（鉱油とカーボンブラックによる汚染布（綿））を試験布として用いた。該試験布を、ターゴトメーターを用いて１００ｒｐｍ、２５℃、２０分、浴比（試験布／水）＝１／３３の洗浄条件にて、洗浄を行った。洗濯用組成物濃度は、０．１質量％とした。処理後、３０℃、３分のすすぎを２回行い、その後、アイロン乾燥し試験片とした。
【００３６】
洗浄率は、未汚染布及び洗浄前後の反射率を、日本電色工業株式会社製の分光色彩計「ＳＤ６０００」を用いて測定し、次式によって算出した。
【００３７】
洗浄率（％）＝｛（洗浄後の反射率−洗浄前の反射率）／（未汚染の反射率−洗浄前の反射率）｝×１００
【００３８】
［２］白度回復性試験．
１）白度測定
ＥＣ混紡（ポリエステル／綿＝６５／３５）の古着を試験片として用いた。処理前の試験片の白度（Ｌ値）は、日本電色工業株式会社製の分光色彩計「ＳＤ６０００」にて測定し、Ｌ値８６ポイントであった。
【００３９】
２０００ｍＬビーカーに水１Ｌ、洗濯用組成物２ｇ添加し、該古着を、浴比（試験布／水）＝１／３３の条件で、２４時間浸漬した。浸漬処理後排水し、再び水１Ｌ、常温、3分間処理、排水のすすぎ工程を2回行い、その後、アイロン乾燥し試験片とした。白度回復性は、処理前後の白度（Ｌ値）を、日本電色工業株式会社製の分光色彩計「ＳＤ６０００」を用いて測定し、次式によって算出した。
【００４０】
白度回復性（処理前後のＬ値の差）＝処理後のＬ値―処理前のＬ値
【００４１】
２）２４時間浸漬後の水溶液の過酸化水素の残存量の測定
上記白度測定における２４時間浸漬後の水溶液を採取し、アズワン（株）製の半定量イオン試験紙パーオキシドを用いて測定し、比色によって定量した。
【００４２】
【表１】
2014065758.tif 000002
【００４３】
【表２】
2014065758.tif 000003
【００４４】
結果は、表１及び表２に示す通りであり、実施例１〜９の洗濯用組成物はいずれもゲル化しており、抱水ゲルが形成されていた。そして、これらの洗濯用組成物であると、常温かつ低濃度での洗濯条件であったにもかかわらず、洗浄率が２０％以上と高く、洗浄性に優れていた。また、白度回復性が１０ポイント以上と高く、すなわち、くすみが除去されて生地の白度が顕著に回復していた。白度回復性試験において、２４時間浸漬後の洗濯液中に過酸化水素が高濃度で残存しており、このことが、過酸化水素の効果を持続させることにつながり、そのため白度が顕著に回復したものと考えられる。
【００４５】
これに対し、比較例１〜９の洗濯用組成物は、いずれもゲル化しなかった。また、これらの比較例では、汚れ除去性試験において、洗浄率が１７％以下と低く、洗浄性に劣っていた。更に、これらの比較例では、白度回復性試験において、２４時間浸漬後の洗濯液中の過酸化水素濃度が１０ｐｐｍ以下と低く、白度回復性も０ポイントないしそれ以下であり、白度回復効果は得られなかった。
【産業上の利用可能性】
【００４６】
本発明に係る洗濯用組成物は、衣類をはじめとして、シーツやタオルなどのリネン、繊維製の靴や鞄など、各種繊維製品の洗濯に用いることができ、例えば、汚れやシミの除去、くすみに対する白度回復のために好適に用いることができる。